(57)【要約】【課題】ループ形成材が旗等に対して容易に所定の位置関係で取り付けられるようにする。【解決手段】旗１０と、旗１０の縁部及びその近傍に対して取り付けられることによって支柱１５等に対して旗１０を連結するためのループを形成するループ形成材５０とを有する。旗１０の縁部の近傍に目印１１ａ，１１ｂが設けられ、ループ形成材５０には、旗１０の目印１１ａ，１１ｂに対応した目印である目印対応目印６１ａ，６１ｂ、及び、旗１０の縁部に対応した目印である縁部対応目印６３ａ，６３ｂが設けられ、ループ形成材５０の少なくとも目印対応目印６１ａ，６１ｂの近傍及び縁部対応目印６３ａ，６３ｂの近傍が透視性を有する。【選択図】    図３
2004177670.tif 000002
【特許請求の範囲】
【請求項１】
旗又は幕の縁部及びその近傍に対して取り付けられることによって支持材に対して前記旗又は幕を連結するためのループを形成するループ形成材であって、
前記旗又は幕の縁部に対応した目印である縁部対応目印が設けられているとともに、少なくとも前記縁部対応目印の近傍が透視性を有する、ループ形成材。
【請求項２】
旗又は幕と、前記旗又は幕の縁部及びその近傍に対して取り付けられることによって支持材に対して前記旗又は幕を連結するためのループを形成するループ形成材とを有する旗又は幕のセットであって、
前記旗又は幕の縁部の近傍に目印が設けられ、
前記ループ形成材には、前記旗又は幕の目印に対応した目印である目印対応目印が設けられているとともに、前記ループ形成材の少なくとも前記目印対応目印の近傍が透視性を有する、
旗又は幕のセット。
【請求項３】
旗又は幕と、前記旗又は幕の縁部及びその近傍に対して取り付けられることによって支持材に対して前記旗又は幕を連結するためのループを形成するループ形成材とを有する旗又は幕のセットであって、
前記旗又は幕の縁部の近傍に目印が設けられ、
前記ループ形成材には、前記旗又は幕の目印に対応した目印である目印対応目印、及び、前記旗又は幕の縁部に対応した目印である縁部対応目印が設けられ、前記ループ形成材の少なくとも前記目印対応目印の近傍及び前記縁部対応目印の近傍が透視性を有する、
旗又は幕のセット。
【発明の詳細な説明】
【０００１】
【発明の属する技術分野】
本発明は、旗等の縁部及びその近傍に対して取り付けられることによって支持材に対して前記旗等を連結するためのループを形成するループ形成材、及び、前記旗等と前記ループ形成材とを有する旗等のセットに関するものである。
【０００２】
【従来の技術】
従来より、旗セットの代表例として、次のようなものがある。
その旗セットは、旗及びループ形成材を有している。ループ形成材は、旗の１つの側縁部及びその近傍に対して複数個取り付けられ、旗を支柱（支持材）に連結するための複数のループ（支柱用ループ）が形成される。
また、ループ形成材は、旗の上縁部及びその近傍に対して複数個取り付けられる場合もあり、その場合は、旗を上部支持部材（支持材）に連結するための複数のループ（上部支持部材用ループ）が形成される。
【０００３】
また、幕セットの代表例として、次のようなものがある。
その幕セットは、幕及びループ形成材を有している。ループ形成材は、幕の上縁部及びその近傍に対して複数個取り付けられ、幕をロープに対して連結するための複数のループ（上縁部ループ）が形成される。
ループ形成材は、幕の下縁部及びその近傍に対して取付られる場合もあり、その場合も、幕をロープに対して連結するための複数のループ（下縁部ループ）が形成される。
【０００４】
以上における従来のループ形成材は、帯状の布等によってほぼ一様に形成されている。
そして、ループ形成材は、作業者によって、旗や幕に対して取り付けられる。
【０００５】
【発明が解決しようとする課題】
ところで、ループ形成材は、旗又は幕に対して、所定の位置関係を有する状態で取り付けられる必要がある。
しかしながら、上記従来のループ形成材は帯状の布等によってほぼ一様に形成されているために、作業者が、自身の感覚等に基づいて、そのループ形成材を旗等に対して取り付けている。
【０００６】
このため、ループ形成材が旗等に対して所定の位置関係を有する状態で取り付けられない場合もある。
また、ループ形成材が旗等に対して所定の位置関係を有する状態で取り付けられる場合でも、そのために、その取り付けの際に作業者は細心の注意を払う必要があり、その取り付けの能率が上がらない場合が多い。
【０００７】
そこで、本発明は、ループ形成材が旗等に対して容易に所定の位置関係で取り付けられ得る技術を提供することを課題とする。
【０００８】
【課題を解決するための手段】
上記の課題を解決するために、請求項１に係る発明は、旗又は幕の縁部及びその近傍に対して取り付けられることによって支持材に対して前記旗又は幕を連結するためのループを形成するループ形成材であって、前記旗又は幕の縁部に対応した目印である縁部対応目印が設けられているとともに、少なくとも前記縁部対応目印の近傍が透視性を有する、ループ形成材である。
【０００９】
「透視性」とは、透明又は半透明であって、当該物体（この場合は、ループ形成材）を通して、当該物体よりも向こう側の物体（この場合は、旗又は幕）が透けて見える性質のことをいう。
「縁部」には側縁部，上縁部，下縁部がある。
以上のことは、他の請求項においても同様である。
【００１０】
この発明では、旗又は幕の縁部に対応した目印である縁部対応目印がループ形成材に設けられているとともに、ループ形成材のうちの少なくとも縁部対応目印の近傍が透視性を有するため、その縁部対応目印が旗又は幕の縁部に合致するか否かが視認され得る。
こうして、縁部対応目印が旗又は幕の縁部に合致するようにして、ループ形成材が、旗又は幕の縁部及びその近傍に対して取り付けられる。
【００１１】
このようにして、この発明では、ループ形成材が、容易に、旗又は幕に対して所定の位置関係で取り付けられる。すなわち、ループ形成材は、旗又は幕に対して、旗又は幕の縁部と直角の方向における所定の位置に容易に取り付けられる。
【００１２】
縁部対応目印が旗又は幕の縁部に対応した線状又は複数の点状等の場合においては、ループ形成材は、さらに、旗又は幕の縁部に対して容易に所定の角度（代表例は直角）で取り付けられる。なお、「線状」には、実線，点線，破線，鎖線等の種々のものが適用され得る。このことは、請求項３に係る発明においても同様である。
【００１３】
請求項２に係る発明は、旗又は幕と、前記旗又は幕の縁部及びその近傍に対して取り付けられることによって支持材に対して前記旗又は幕を連結するためのループを形成するループ形成材とを有する旗又は幕のセットであって、前記旗又は幕の縁部の近傍に目印が設けられ、前記ループ形成材には、前記旗又は幕の目印に対応した目印である目印対応目印が設けられているとともに、前記ループ形成材の少なくとも前記目印対応目印の近傍が透視性を有する、旗又は幕のセットである。
【００１４】
この発明の旗又は幕のセットでは、旗又は幕の縁部の近傍に目印が設けられ、その目印に対応する目印である目印対応目印がループ形成材に設けられているとともに、ループ形成材のうちの少なくとも目印対応目印の近傍が透視性を有するため、その目印対応目印が旗又は幕の目印に合致するか否かが視認され得る。
こうして、目印対応目印が旗又は幕の目印に合致するようにして、ループ形成材が、旗又は幕の縁部及びその近傍に対して取り付けられる。
【００１５】
このようにして、この発明では、ループ形成材が、容易に、旗又は幕に対して所定の位置関係で取り付けられる。すなわち、ループ形成材は、旗又は幕に対して、旗又は幕の縁部に沿った方向における所定の位置、及び、旗又は幕の縁部と直角の方向における所定の位置に容易に取り付けられる。
【００１６】
なお、１つのループ形成材に対して、旗又は幕の各面（おもて面又は裏面）に目印が２つ以上設けられ、それに対応して、当該１つのループ形成材のうちの旗又は幕の各面に対応する部分に目印対応目印が２つ以上設けられてもよい。
その場合は、さらに、ループ形成材は、旗又は幕の縁部に対して容易に所定の角度（代表例は直角）で取り付けられる。
【００１７】
請求項３に係る発明は、旗又は幕と、前記旗又は幕の縁部及びその近傍に対して取り付けられることによって支持材に対して前記旗又は幕を連結するためのループを形成するループ形成材とを有する旗又は幕のセットであって、前記旗又は幕の縁部の近傍に目印が設けられ、前記ループ形成材には、前記旗又は幕の目印に対応した目印である目印対応目印、及び、前記旗又は幕の縁部に対応した目印である縁部対応目印が設けられ、前記ループ形成材の少なくとも前記目印対応目印の近傍及び前記縁部対応目印の近傍が透視性を有する、旗又は幕のセットである。
【００１８】
この発明では、請求項１及び請求項２の両方の作用及び効果が得られる。
すなわち、この発明では、ループ形成材は、旗又は幕の縁部に沿った方向における所定の位置、及び、旗又は幕の縁部と直角の方向における所定の位置に容易に取り付けられる。
【００１９】
ループ形成材の縁部対応目印が旗又は幕の縁部に対応した線状又は複数の点状等の場合においては、ループ形成材は、さらに、旗又は幕の縁部に対して容易に所定の角度（代表例は直角）で取り付けられる。
１つのループ形成材に対して、旗又は幕の各面（おもて面又は裏面）に目印が２つ以上設けられ、それに対応して、当該１つのループ形成材のうちの旗又は幕の各面に対応する部分に目印対応目印が２つ以上設けられている場合においても、同様である。
【００２０】
【発明の実施の形態】
［実施形態１］
次に、本発明の実施形態１について、図１〜図３及び図６（ａ）に基づいて説明する。
この旗セットは、旗１０Ａ（図１）及びループ形成材５０（図２）を有している。
図１に示すように、旗１０Ａ（１０）は、布等によって形成されており、横長の長方形状に形成されている。
【００２１】
旗１０Ａの１つの側縁部の近傍において、旗１０Ａのおもて面及び裏面の両面には、各々、複数の目印１１ａ，１１ｂが設けられている。
旗１０Ａ（１０）のおもて面に形成された目印１１ａと旗１０Ａの裏面に形成された目印１１ｂとは、対応している。すなわち、目印１１ｂは、目印１１ａの裏側に形成されている。
【００２２】
目印１１ａ，１１ｂは、支柱用ループ５５（図６（ａ）参照）を形成するためにループ形成材５０が取り付けられる部分に設けられている。各目印１１ａ，１１ｂは、１つの点状に形成されている。
【００２３】
図２に示すように、ループ形成材５０は、透明な合成樹脂のフィルム又はシートによって帯状に形成されている。
ループ形成材５０の中央部分はループ形成部５１である。
このループ形成材５０では、ループ形成部５１が幅細に形成され、それ以外の部分が幅広部５２とされている。
【００２４】
ループ形成材５０のうちの両端側の部分（幅広部５２のうちのループ形成部５１とは反対側の部分）は、取付部５３である。
取付部５３は、ループ形成材５０が旗１０（図１，図４参照）や幕１１０（図９参照）の縁部及びその近傍に対して取り付けられる際に旗１０等の縁部及びその近傍と重なる部分、すなわち、取り付けのための“代（しろ）”となる部分である。
取付部５３は、熱溶着又は接着剤によって旗１０等の縁部及びその近傍に対して接着される。
【００２５】
取付部５３とループ形成部５１との間の部分（幅広部５２のうちのループ形成部５１の側の部分）は、相互接着部５４である。
相互接着部５４は、ループ形成材５０が旗１０等の縁部及びその近傍に対して取り付けられる際に相互に接着する部分である。
【００２６】
各取付部５３には、旗１０等の目印１１ａ，１１ｂ（図１等参照）に対応して、目印対応目印６１ａ，６１ｂが形成されている。各目印対応目印６１ａ，６１ｂは１つの点状に形成されている。
【００２７】
また、図２に示すように、各取付部５３と各ループ形成部５１との各境界部分には、旗１０の縁部（側縁部等）（図１等参照）に対応して、縁部対応目印６３ａ，６３ｂが形成されている。縁部対応目印６３ａ，６３ｂは、線状に形成されている。
【００２８】
次に、この旗セットの使用方法及び作用効果について説明する。
図３（ａ）に示すように、ループ形成材５０の一対の取付部５３が、旗１０Ａを挟むようにして、旗１０Ａの１つの側縁部及びその近傍（旗１０Ａのおもて面及び裏面の各面）に対して、熱溶着又は接着剤による接着等によって取り付けられる。同様に、一対の相互接着部５４同士も相互に接着される。
【００２９】
こうして、図３（ｂ）に示すように、複数のループ形成材５０が旗１０Ａの１つの側縁部及びその近傍に対して取り付けられ、複数の支柱用ループ５５（図６（ａ）参照）が形成される。
【００３０】
図３に示すように、上記のようにループ形成材５０（取付部５３）が旗１０Ａの側縁部に対して取り付けられる際には、目印対応目印６１ａが目印１１ａと合致し、目印対応目印６１ｂが目印１１ｂと合致するようにして行われる。
その際、ループ形成材５０が透視性を有しているため、作業者の視認によって、目印対応目印６１ａ，６１ｂが目印１１ａ，１１ｂに合致され得るのである。これによって、ループ形成材５０が旗１０Ａのうちの所定の位置に取り付けられる。
【００３１】
また、縁部対応目印６３ａ，６３ｂが旗１０Ａの側縁部に合致するようにして、取付部５３が旗１０Ａの側縁部及びその近傍に対して取り付けられる。
その際、ループ形成材５０が透視性を有しているため、作業者の視認によって、目印対応目印６３ａ，６３ｂが旗１０Ａの側縁部に合致され得るのである。
これによって、ループ形成材５０が旗１０Ａに対して所定の角度で（代表例は直角）に取り付けられる。
【００３２】
そして、図３（ｂ）及び図６（ａ）に示すように、旗１０Ａは、複数の支柱用ループ５５において、支柱１５（支持材）に対して連結される。
【００３３】
［実施形態２］
次に、本発明の実施形態２について、実施形態１との相違点を中心に、図４，図５及び図６（ｂ）に基づいて説明する。
図４に示すように、この実施形態２では、旗１０Ｂ（１０）が「のぼり」とも称されるものであって、縦方向の長さが横方向の長さよりもかなり長く形成されている。
そして、実施形態１と同様に、旗１０Ｂ（１０）の１つの側縁部（おもて面及び裏面の両面）の近傍に複数の目印１１ａ，１１ｂが設けられている。
【００３４】
また、この実施形態２では、さらに、旗１０Ｂの上縁部の近傍においても、旗１０Ｂのおもて面及び裏面の両面に、複数の目印１１ａ，１１ｂが設けられている。
これらの目印１１ａ，１１ｂについても、旗１０Ｂのおもて面に形成された目印１１ａと旗１０Ｂの裏面に形成された目印１１ｂとは、対応している。すなわち、目印１１ｂは、目印１１ａの裏側に形成されている。
【００３５】
旗１０Ｂの上縁部の近傍に設けられた目印１１ａ，１１ｂは、上部支持部材用ループ５６（図６（ｂ）参照）を形成するためにループ形成材５０が取り付けられる部分に設けられている。各目印１１ａ，１１ｂは、１つの点状に形成されている。
【００３６】
この実施形態２では、実施形態１と同様に、図３及び図６（ｂ）に示すように、複数のループ形成材５０（取付部５３）が旗１０Ｂの１つの側縁部及びその近傍（旗１０Ｂのおもて面及び裏面の各面）に対して取り付けられて、複数の支柱用ループ５５が形成される。
そして、旗１０Ｂは、複数の支柱用ループ５５において、支柱１５（支持材）に対して連結される。
【００３７】
図５（ａ）に示すように、この実施形態２では、さらに、ループ形成材５０の一対の取付部５３が、旗１０Ｂの上縁部及びその近傍（旗１０Ｂのおもて面及び裏面の各面）に対して、熱溶着又は接着剤による接着等によって取り付けられる。同様に、一対の相互接着部５４同士も相互に接着される。
【００３８】
こうして、図５（ｂ）に示すように、複数のループ形成材５０が旗１０Ｂの上縁部及びその近傍に取り付けられ、複数の上部支持部材用ループ５６（図６（ｂ）参照）が形成される。
【００３９】
図５に示すように、上記のようにループ形成材５０（取付部５３）が旗１０Ｂの上縁部及びその近傍に対して取り付けられる際には、目印対応目印６１ａ，６１ｂが、各々、旗１０Ｂの上縁部の近傍に設けられた目印１１ａ，１１ｂと合致するようにして行われる。
これによって、ループ形成材５０が旗１０Ｂのうちの所定の位置に取り付けられる。
【００４０】
また、縁部対応目印６３ａ，６３ｂが旗１０Ｂの上縁部に合致するようにして、取付部５３が旗１０Ｂの上縁部及びその近傍に対して取り付けられる。
これによって、ループ形成材５０が旗１０Ｂに対して所定の角度で（代表例は直角）に取り付けられる。
【００４１】
そして、図５（ｂ）及び図６（ｂ）に示すように、旗１０Ｂは、複数の上部支持部材用ループ５６において、上部支持部材１６（支持材）に対して連結される。
【００４２】
［実施形態３］
次に、本発明の実施形態３について、実施形態１及び２との相違点を中心に、図７及び図８に基づいて説明する。
図７に示すように、この実施形態３のループ形成材１５０では、縁部対応目印１６３ａ，１６３ｂが、各々、３つの点状に形成されている。
すなわち、各点状部１６４は、ループ形成材１５０のうちの取付部５３とループ形成部５１との境界部分において、その境界部分の長さ方向の両端部及びその中央部分に形成されている。
そして、図７に示すように、実施形態１及び２と同様に使用され、同様の効果が得られる。
【００４３】
なお、各縁部対応目印１６３ａ，１６３ｂは、１つ、２つ又は４つ以上の点状部によって形成されていてもよい。また、１つ又は複数の短い線状部によって形成されていてもよい。
【００４４】
［実施形態４］
次に、本発明の実施形態４について、実施形態１等との相違点を中心に、図９に基づいて説明する。
この幕セットは、幕１１０及びループ形成材５０を有している。
幕１１０は、布等によって形成されており、横長の帯状に形成されている。幕１１０には、紅白の縦縞模様（図示省略）等が施されている。
【００４５】
幕１１０の上縁部（おもて面及び裏面）の近傍には、複数の目印１１ａ，１１ｂが設けられている。幕１１０のおもて面に形成された目印１１ａと幕１１０の裏面に形成された目印１１ｂとは、対応している。
同様に、幕１１０の下縁部（おもて面及び裏面）の近傍においても、複数の目印１１ａ，１１ｂが設けられている。
【００４６】
そして、この実施形態３では、幕１１０の上縁部及びその近傍並びに幕１１０の下縁部及びその近傍に対して、ループ形成材５０（取付部５３）が取り付けられる。
その際、目印対応目印６１ａ，６１ｂが目印１１ａ，１１ｂと合致するようにして、かつ、縁部対応目印６３ａ，６３ｂが幕１１０の上縁部／下縁部に合致するようにして、取付部５３が幕１１０の上縁部及びその近傍／下縁部及びその近傍に対して取り付けられる。
【００４７】
こうして、複数の上縁部用ループ１５５ａ及び複数の下縁部用ループ１５５ｂが形成される。そして、複数の上縁部用ループ１５５ａにロープ１１５ａが挿通され、複数の下縁部用ループ１５５ｂにロープ１１５ｂが挿通され、幕１１０がロープ１１５ａ，１１５ｂ（支持材）に連結される。
【００４８】
なお、上記のものはあくまで本発明の一実施形態にすぎず、当業者の知識に基づいて種々の変更を加えた態様で本発明を実施できることはもちろんである。
例えば、上述の各実施形態の特徴を任意に組み合わせた態様も考えられる。
また、ループ形成材（５０，１５０）のループ形成部（５１）は、取付部（５３）及び相互接着部（５４）と同じ幅でもよい。
また、相互接着部（５４）は、必ずしも設けられなくてもよい。
【図面の簡単な説明】
【図１】本発明の実施形態１の旗セットのうちの旗を示す斜視図である。旗等に対して取り付けられた際の形状に近い状態に湾曲され折り曲げられた状態を示す。
【図２】本発明の実施形態１の旗セットのうちのループ形成材を示す斜視図である。本発明の実施形態２〜４におけるループ形成材でもある。
【図３】本発明の実施形態１の旗セットにおいてループ形成材が旗に対して取り付けられる工程を示す斜視図である。
【図４】本発明の実施形態２の旗セットのうちの旗を示す斜視図である。
【図５】本発明の実施形態２の旗セットにおいてループ形成材が旗に対して取り付けられる工程を示す斜視図である。
【図６】（ａ）は、本発明の実施形態１の旗セット（結合状態）を示す斜視図であり、（ｂ）は、同じく実施形態２の旗セット（結合状態）を示す斜視図である。
【図７】本発明の実施形態３のループ形成材を示す斜視図である。
【図８】本発明の実施形態３のループ形成材が旗に対して取り付けられた状態を示す斜視図である。
【図９】本発明の実施形態４の幕セットを示す斜視図である。
【符号の説明】
１０（１０Ａ，１０Ｂ）  旗
１１ａ，１１ｂ  目印
１５  支柱（支持材）
１６  上部支持部材（支持材）
１１５ａ，１１５ｂ  ロープ（支持材）
５０，１５０  ループ形成材
６１ａ，６１ｂ  目印対応目印
６３ａ，６３ｂ  縁部対応目印
【図１】
2004177670.tif 000003
【図２】
2004177670.tif 000004
【図３】
2004177670.tif 000005
【図４】
2004177670.tif 000006
【図５】
2004177670.tif 000007
【図６】
2004177670.tif 000008
【図７】
2004177670.tif 000009
【図８】
2004177670.tif 000010
【図９】
2004177670.tif 000011